(57)【要約】  ブルーレイディスクのような記録媒体上にデータ重ね書き方法及び装置が開示される。前記方法は記録媒体内の既に記録された領域に複数のデータ記録命令を受信すれば、前記各記録命令別に受信したデータを記録媒体内の未記録領域に代替記録し、前記複数の記録命令が記録媒体の連続された領域で行われる場合には、前記複数の記録命令のための管理情報として記録媒体内の管理領域上にデータを記録する。【選択図】図２
2007524184.tif 000002
【特許請求の範囲】
【請求項１】
１回記録可能な記録媒体のデータ重ね書き方法であって、
記録媒体内の既に記録された領域に複数のデータ記録命令を受信すれば、前記各記録命令別に受信したデータを記録媒体内の未記録領域に代替記録し、前記複数の記録命令が記録媒体の連続された領域で行われる場合には、前記複数の記録命令のための管理情報として記録媒体内の管理領域上にデータを記録することを特徴とする重ね書き方法。
【請求項２】
各記録命令によってデータの代替記録に関する管理情報をメモリー内に臨時保存することを特徴とする請求項１に記載の重ね書き方法。
【請求項３】
前記一つの管理情報は、ＣＲＤ(ｃｏｎｓｅｃｕｔｉｖｅ ｒｅ−ａｌｌｏｃａｔｅｄ ｄｅｆｅｃｔ)エントリーであることを特徴とする請求項２に記載の重ね書き方法。
【請求項４】
前記ＣＲＤエントリーは、記録媒体内の臨時ディスク管理領域(ＴＤＭＡ)内に記録されることを特徴とする請求項３に記載の重ね書き方法。
【請求項５】
前記ＣＲＤエントリーは、連続データの重ね書き領域(ｏｖｅｒｗｒｉｔｉｎｇ ａｒｅａ)内のスタートクラスター及びエンドクラスターの位置情報と、代替領域内のスタートクラスター及びエンドクラスターの位置情報と、を含むことを特徴とする請求項３に記載の重ね書き方法。
【請求項６】
前記位置情報は、クラスターの一番目の物理的セクターナンバーで表現されることを特徴とする請求項５に記載の重ね書き方法。
【請求項７】
前記ＣＲＤエントリーは、一対(Ｐａｉｒ)になった二つのエントリーで形成されることを特徴とする請求項３に記載の重ね書き方法。
【請求項８】
前記二つのエントリーの中で、一番目のエントリー内の“Ｄｅｆｅｃｔｉｖｅ Ｃｌｕｓｔｅｒ ｆｉｒｓｔ ＰＳＮ”フィールド内に、重ね書き領域内のスタートクラスターの一番目の物理的セクターナンバーが記録されることを特徴とする請求項７に記載の重ね書き方法。
【請求項９】
前記二つのエントリーの中で、一番目のエントリー内の“Ｄｅｆｅｃｔｉｖｅ Ｃｌｕｓｔｅｒ ｆｉｒｓｔ ＰＳＮ”フィールド内に、重ね書き領域内のエンドクラスターの一番目の物理的セクターナンバーが記録されることを特徴とする請求項７に記載の重ね書き方法。
【請求項１０】
前記二つのエントリーの中で、二番目のエントリー内の“Ｒｅｐｌａｃｅｍｅｎｔ Ｃｌｕｓｔｅｒ ｆｉｒｓｔ ＰＳＮ”フィールド内に、代替領域(ｒｅｐｌａｃｅｍｅｎｔ ａｒｅａ)内のスタートクラスターの一番目の物理的セクターナンバーが記録されることを特徴とする請求項７に記載の重ね書き方法。
【請求項１１】
前記二つのエントリーの中で、二番目のエントリー内の“Ｒｅｐｌａｃｅｍｅｎｔ Ｃｌｕｓｔｅｒ ｆｉｒｓｔ ＰＳＮ”フィールド内に、代替領域内のエンドクラスターの一番目の物理的セクターナンバーが記録されることを特徴とする請求項７に記載の重ね書き方法。
【請求項１２】
前記エントリーは、各エントリーのタイプ及び属性を区別するための情報として“ｓｔａｔｕｓ”フィールドを含むことを特徴とする請求項７に記載の重ね書き方法。
【請求項１３】
前記管理情報は、重ね書き領域及び代替領域の位置情報を含むことを特徴とする請求項１に記載の重ね書き方法。
【請求項１４】
１回記録可能な記録媒体のデータ重ね書き方法であって、
記録媒体内の既に記録された領域に複数のデータ記録命令を受信すれば、前記各記録命令別に受信したデータを記録媒体内の未記録領域に代替記録し、
前記既に記録された領域及び代替領域の位置情報を少なくとも一つ以上のエントリーで管理領域内に記録するが、前記既に記録された領域内に存在する欠陷領域に関するエントリーは除外してデータを記録することを特徴とする重ね書き方法。
【請求項１５】
前記記録命令により要請されたデータが複数の連続されたクラスターを形成すれば、前記既に記録された領域及び代替領域の位置情報を記録した少なくとも一つ以上のエントリーは、一対になった二つのエントリーで形成されることを特徴とする請求項１４に記載の記録媒体。
【請求項１６】
１回記録可能な記録媒体のデータ重ね書き装置であって、
代替記録と関連された管理情報を一時的に保存するメモリーと、
記録媒体内の既に記録された領域に複数のデータ記録命令を受信すれば、各記録命令別に受信したデータを記録媒体内の未記録領域に代替記録し、各記録命令別に代替記録による管理情報を一時的に保存し、前記メモリー内に保存された前記各記録命令による管理情報間に連続性が存在すれば、記録媒体内の管理領域上に一つのエントリーで記録されるように前記管理情報を制御するマイコンと、
を含むことを特徴とする重ね書き装置。
【請求項１７】
１回記録可能な記録媒体のデータ重ね書き装置であって、
記録媒体上にデータ及び管理情報を記録するピックアップ部と、
記録媒体内の既に記録された領域に複数のデータ記録命令を受信すれば、各記録命令別に受信したデータを記録媒体内の未記録領域に代替記録し、前記既に記録された領域及び代替領域の位置情報を少なくとも一つ以上のエントリーで管理領域内に記録し、前記既に記録された領域内に存在する欠陷領域に関するエントリーは除外してデータを記録するように前記ピックアップ部を制御するマイコンと、
を含むことを特徴とする重ね書き装置。
【請求項１８】
記録媒体であって、
記録媒体内の既に記録された領域に対する記録命令によって前記既に記録された領域を取り替える代替領域を含むデータ領域と、
前記既に記録された領域及び代替領域の位置情報を一対になった二つのエントリーで記録する臨時ディスク管理領域と、を含み、
前記一対になった二つのエントリーを記録する時、前記既に記録された領域内に存在する欠陷領域に関するエントリーは除外してデータを記録することを特徴とする記録媒体。
【発明の詳細な説明】
【技術分野】
【０００１】
本発明は、１回記録可能な記録媒体に係り、特に、１回記録可能な記録媒体におけるデータ重ね書き方法と重ね書き装置に関する。
【背景技術】
【０００２】
高画質のビデオデータと高音質のオーディオデータを長期間記録保存することができる新しい記録媒体として、例えば、再記録可能なブルーレイディスク(ＢＤ−ＲＥ：Ｂｌｕ−ｒａｙ ｒｅｗｒｉｔａｂｌｅ ｄｉｓｃ)が開発されて発売開始されると期待されている。一方、前記ＢＤ−ＲＥは、図１に示したように、リードイン領域(Ｌｅａｄ−ＩｎＡｒｅａ)とデータゾーン(Ｄａｔａ Ｚｏｎｅ)、そしてリードアウト領域(Ｌｅａｄ−Ｏｕｔ Ａｒｅａ)に区分割り当てられる。前記データゾーンは、先頭に内部予備領域(ＩＳＡ：ＩｎｎｅｒＳｐａｒｅ Ａｒｅａ、以下、“ＩＳＡ”と称する)を有し、後端に外部予備領域(ＯＳＡ: Ｏｕｔｅｒ Ｓｐａｒｅ Ａｒｅａ、以下、“ＯＳＡ”と称する)を有するように区分割り当てられる。
【０００３】
前記ＢＤ−ＲＥは、クラスター(Ｃｌｕｓｔｅｒ)単位で記録される。図１に示したように、前記ＢＤ−ＲＥは、データを記録する中、前記データゾーンに欠陷領域(ｄｅｆｅｃｔｉｖｅａｒｅａ)が存在するか否かを検出するようになる。もし、前記欠陷領域が検出される場合には、その欠陷領域に記録されたデータを前記予備領域、例えば、内部予備領域(ＩＳＡ)に代替記録する一連の代替記録動作を実行する。以後、前記ＢＤ−ＲＥは、前記欠陷領域に関する位置情報と、前記内部予備領域(ＩＳＡ)に代替記録された位置情報と、を管理情報として前記リードイン領域に欠陷リスト(ＤｅｆｅｃｔＬｉｓｔ)で記録保存する。したがって、前記ＢＤ−ＲＥのデータゾーンに欠陷領域が存在する場合にも、その欠陷領域に記録されたデータを前記予備領域に代替記録し、再生動作実行時には管理情報を参照して前記欠陷領域のデータの代わりに予備領域に代替記録されたデータを読み出して再生することにより、データ記録/再生エラーを前もって防止することができる。
【０００４】
最近は、１回記録可能な記録媒体として、例えば、１回記録可能なブルーレイディスク(ＢＤ-ＷＯ：Ｂｌｕ-ｒａｙｄｉｓｃ ｗｒｉｔｅ ｏｎｃｅ)に対する規格化作業が関連メーカーの間で論議されている。一方、１回記録可能な光ディスクはディスクの全領域データだ１回だけ記録可能であることによって、再記録可能な光ディスクと相異に物理的に重ね書き(ｏｖｅｒｗｒｉｔｅ)が不可能である。しかし、１回記録可能な光ディスクでも記録されたデータを編集するか、該当部分のみを修正しようとするとか、またはユーザーやホスト等の便宜のために重ね書きが必要な場合があるので、これを可能とする効率的な方案が要求される。
【発明の開示】
【発明が解決しようとする課題】
【０００５】
したがって、本発明は上述したような従来技術の問題点を解決するためになされたもので、その目的は、前記従来技術の制限及び不便さに起因する一つ以上の問題点を実質的に除去する１回記録可能な記録媒体における重ね書き方法及び装置を提供することにある。
【０００６】
本発明のほかの目的は、記録媒体内の既に記録された領域で連続的な重ね書きが実行されると時に、効率的なエントリー記録方法を提供することにある。
【課題を解決するための手段】
【０００７】
前記目的を達成するために提供される本発明による１回記録可能な記録媒体のデータ重ね書き方法は、記録媒体内の既に記録された領域に複数のデータ記録命令を受信すれば、前記各記録命令別に受信したデータを記録媒体内の未記録領域に代替記録するが、前記複数の記録命令が記録媒体の連続された領域で行われる場合には、前記複数の記録命令のための管理情報として記録媒体内の管理領域上にデータを記録することを特徴とする。
【０００８】
本発明の他の実施形態として、１回記録可能な記録媒体のデータ重ね書き方法は、記録媒体内の既に記録された領域に複数のデータ記録命令を受信すれば、前記各記録命令別に受信したデータを記録媒体内の未記録領域に代替記録し、前記既に記録された領域及び代替領域の位置情報を少なくとも一つ以上のエントリーで管理領域内に記録するが、前記既に記録された領域内に存在する欠陷領域に関するエントリーは除外してデータを記録することを特徴とする重ね書き方法を提供する。
【０００９】
本発明のまた他の実施形態として、１回記録可能な記録媒体のデータ重ね書き装置は、代替記録と関連された管理情報を一時的に保存するメモリーと、記録媒体内の既に記録された領域に複数のデータ記録命令を受信すれば、各記録命令別に受信したデータを記録媒体内の未記録領域に代替記録し、各記録命令別に代替記録による管理情報を一時的に保存し、前記メモリー内に保存された前記各記録命令による管理情報間に連続性が存在すれば、記録媒体内の管理領域上に一つのエントリーで記録されるように前記管理情報を制御するマイコンと、を含む。
【００１０】
本発明のまた他の実施形態として、１回記録可能な記録媒体のデータ重ね書き装置は、記録媒体上にデータ及び管理情報を記録するピックアップ部と、記録媒体内の既に記録された領域に複数のデータ記録命令を受信すれば、各記録命令別に受信したデータを記録媒体内の未記録領域に代替記録し、前記既に記録された領域及び代替領域の位置情報を少なくとも一つ以上のエントリーで管理領域内に記録し、前記既に記録された領域内に存在する欠陷領域に関するエントリーは除外してデータを記録するように前記ピックアップ部を制御するマイコンと、を含む。
【００１１】
本発明のまた他の実施形態として、記録媒体は、記録媒体内の既に記録された領域に対する記録命令により前記既に記録された領域を取り替える代替領域を含むデータ領域と、前記既に記録された領域及び代替領域の位置情報を一対になった二つのエントリーで記録する臨時ディスク管理領域と、を含み、前記一対になった二つのエントリーを記録する時、前記既に記録された領域内に存在する欠陷領域に関するエントリーは除外してデータを記録する。
【００１２】
本発明に係る前述した課題を解決するための手段の説明と後述する実施形態の説明は、例示であり、説明目的のものであり、本発明のさらなる説明を提供することを意図していることを理解すべきである。
【発明を実施するための最良の形態】
【００１３】
以下、本発明による１回記録可能な光ディスクの重ね書き及び欠陷領域管理方法に関する好ましい実施形態に対して添付された図面を参照して詳しく説明する。なお、本発明における大部分の用語は、広く知られた一般的な用語であるが、新しい技術の出現によって本発明の発明者が選択して使う一部用語もあり、その意味は、対応説明部分で詳細に説明する。したがって、単純な用語の名称ではなく、その用語の特有に説明された意味に基礎して把握しなければならない。
【００１４】
また、本発明において“記録媒体”とは、データが記録可能なすべての媒体を意味し、例えば、光ディスク、磁気テープなどの記録方式に関係なくすべての媒体を包括する意味である。以下、本発明は説明の便宜のために記録媒体として光ディスク(ｏｐｔｉｃａｌ ｄｉｓｃ)、特に、“ブルーレイディスク(ＢＤ)”を一例として説明するが、本発明の技術思想は他の記録媒体にも同一に適用可能なことは自明である。
【００１５】
図２は、本発明による１回記録可能な光ディスクにおける重ね書き方法を示した図である。図２に示したように、１回記録可能なブルーレイディスク(ＢＤ−ＷＯ)には、リードイン領域(Ｌｅａｄ Ｉｎ Ａｒｅａ)と、データゾーン(Ｄａｔａ Ｚｏｎｅ)、そしてリードアウト(Ｌｅａｄ ＯｕｔＡｒｅａ)領域が区分割り当てられる。前記データゾーン先頭及び後端には、内部予備領域(ＩＳＡ)と外部予備領域(ＯＳＡ)が区分割り当てられる。
【００１６】
このような構造を有する１回記録可能な光ディスクにおいて、記録管理情報はディスクの使用中に必要によって数回アップデートすることができる。したがって、前記光ディスク内には数回アップデートできる光ディスクの管理情報を記録するための領域として臨時ディスク管理領域(ＴＤＭＡ：Ｔｅｍｐｏｒａｒｙ Ｄｉｓｃ Ｍａｎａｇｅｍｅｎｔ Ａｒｅａ、以下、“ＴＤＭＡ”と称する)を前記リードイン領域内に具備する。前記ＴＤＭＡ内には臨時欠陥リスト(ＴＤＦＬ：ＴｅｍｐｏｒａｒｙＤｅｆｅｃｔ Ｌｉｓｔ、以下、“ＴＤＦＬ”と称する)を記録する。前記ＴＤＦＬ内には実際欠陷領域または重ね書きされた領域の位置情報等の管理情報が記録される多数のＤＦＬエントリー(ｅｎｔｒｙ)で構成された欠陷リスト(ｄｅｆｅｃｔｌｉｓｔ)を含む。これに関する詳しい説明は後述する。
【００１７】
上述のように区分割り当てられた光ディスクにおいて、前記データゾーンに既に記録完了された領域(Ｏｒｉｇｉｎａｌｒｅｃｏｒｄｅｄ ｄａｔａ)が存在する場合、該当領域は１回記録可能な光ディスクの特性上物理的には“重ね書き(ｏｖｅｒｗｒｉｔｅ)”が許容されない。しかし、ユーザーやホスト等の記録命令が、図２のようにａ−ｂ領域(記録完了された領域)に記録実行を要請する場合、本発明におけるドライブは、これをデータ領域内の他の領域に新たに記録されるデータとして代替記録するようになる。したがって、ユーザーやホスト等はディスク内の特定領域に記録が完了されたか否かに関係なく記録を命令することができる。これはユーザーが１回記録可能な光ディスクを再記録可能な光ディスクのように使用できるようにする。これを物理的な重ね書きと区分して論理的重ね書き方式(ＬＯＷ：ＬｏｇｉｃａｌＯｖｅｒ−Ｗｒｉｔｅ)と名付ける。より詳細には、図２を参照すれば、ａ−ｂ領域に対する記録命令を実行するにおいて、既に記録完了された部分なので該当領域に再度物理的重ね書きをすることはできないが、これをデータゾーン(ＤａｔａＺｏｎｅ)内の予備領域(ｓｐａｒｅ ａｒｅａ)であるc-d領域に代替記録し、それに関する管理情報をディスク内のＴＤＭＡにＴＤＦＬ情報として記録しておくことによって、記録命令実行を完了するようになる。
【００１８】
すなわち、記録完了されたディスクに対して、以後ユーザーの要求によってホストなどがａ−ｂ領域の再生を希望する場合、ドライブは記録された管理情報を参照してａ−ｂ領域の再生の代わりにｃ−ｄ領域を再生することにより再生命令を実行する。このような方法はディスク内に連続的な欠陷領域が発生した場合、前記欠陷領域に記録するデータを予備領域(ｓｐａｒｅ ａｒｅａ)に代替記録する方法と同様に処理される。
【００１９】
図３は、本発明による１回記録可能な光ディスクにおける欠陷領域を管理する方法を示した図である。図３に示したように、リードイン領域(Ｌｅａｄ Ｉｎ Ａｒｅａ)、データゾーン(Ｄａｔａ Ｚｏｎｅ)及びリードアウト(Ｌｅａｄ Ｏｕｔ Ａｒｅａ)領域が区分割り当てられ、前記データゾーンの先頭及び後端には内部予備領域(ＩＳＡ)と外部予備領域(ＯＳＡ)が区分割り当てられた１回記録可能な光ディスクにおいて、実際データが記録される前記データゾーン内部の特定領域に欠陷領域(ａ−ｂ)が発生できる。この時、前記欠陷領域は物理的に一つ以上のクラスター(ｃｌｕｓｔｅｒ)から発生可能である。例えば、図３の場合、多数個の連続的なクラスターに欠陷が発生した場合を例示した。また、このような場合は光ディスクドライブ上の設定により、一つのクラスターに欠陷が発生したと言っても、周辺のクラスターも損傷または汚染される可能性に備えて欠陷クラスター周辺の多くのクラスターを同時に欠陷領域で処理する場合にも発生可能である。上述のように、データゾーン内の連続する多数個のクラスターが欠陷領域である場合、該当領域に記録するデータは予備領域(ＩＳＡまたはＯＳＡ)に代替記録するようになる。図３では、特に外部予備領域(ＯＳＡ)のｃ−ｄ領域に代替記録される場合を例示した。この時、該当領域におけるデータ記録は、予備領域の内側からリードアウト領域(ＬｅａｄＯｕｔ Ａｒｅａ)方向へ行われる。
【００２０】
上述のように、データが外部予備領域(ＯＳＡ)に代替記録されると、前記代替記録に関する管理情報をディスク内のＴＤＭＡにＴＤＦＬ情報として記録しておくことにより記録命令に関する実行を完了するようになる。したがって、前記既に記録完了されたディスクに対して、以後ユーザーの要求によってホストがａ−ｂ領域を再生しようとする場合、ドライブは前記記録された管理情報を参照してａ−ｂ領域の再生の代わりにｃ−ｄ領域を再生することにより再生命令を実行するようになる。
【００２１】
本発明によれば、前記予備領域(ｓｐａｒｅ ａｒｅａ)に代替記録される多数個の連続するクラスターに発生した欠陷を特別にＣＲＤ(ｃｏｎｓｅｃｕｔｉｖｅｒｅ−ａｌｌｏｃａｔａｂｌｅ ｄｅｆｅｃｔ)と指称する。ＣＲＤと関連して予備領域に代替記録される一つのクラスターに発生した欠陷はＲＡＤ(ｒｅ−ａｌｌｏｃａｔａｂｌｅｄｅｆｅｃｔ)と名付ける。また、一つのクラスターに発生した欠陷に対して予備領域に代替記録しない場合は、ＮＲＤ(ｎｏｎ−ｒｅａｌｌｏｃａｔａｂｌｅ ｄｅｆｅｃｔ)と名付ける。
【００２２】
図２及び図３に示したように、本発明による論理的重ね書き方法は重ね書きされる領域のデータを予備領域に代替記録する面で、連続的な欠陷領域が発生した場合、前記欠陷領域に記録するデータを予備領域に代替記録するＣＲＤタイプと同様に処理される。したがって、前記論理的重ね書き方式において、実際ＤＦＬエントリーに記録される形態はＣＲＤエントリータイプを使用するようになる。これを添付した図面を参照して説明すれば、次のようである。
【００２３】
図４は、本発明による重ね書き管理情報が記録される方法を示した図である。図４によれば、上述のようにユーザーの要求によるホストなどの重ね書き命令によって既に記録された領域に重ね書きしようとする場合、予備領域に代替記録するようになる。このような場合、必要な重ね書き管理情報は連続的な欠陷クラスターのＣＲＤタイプと同様に処理される。言い換えれば、連続的な欠陷クラスターのＣＲＤタイプに対して、ＴＤＭＡに記録される管理情報は二つのＤＦＬエントリーを使用して表現可能である。
【００２４】
図４に示したように、一つのエントリーごとに“ｓｔａｔｕｓ１”フィールドには各々のＤＦＬエントリーのタイプに関する情報として代替記録可否に関する情報が記録される。例えば、‘００００’であれば、欠陷領域が正常に代替記録完了されたＲＡＤ(Ｒｅ−ａｌｌｏｃａｔｉｏｎ Ｄｅｆｅｃｔｉｖｅ)タイプあるいはＣＲＤ(Ｃｏｎｓｅｃｕｔｉｖｅ Ｒｅ−ａｌｌｏｃａｔｉｏｎ Ｄｅｆｅｃｔ)のＤＦＬエントリーを意味する。‘０００１’であれば、欠陷領域であるが代替記録のための代替領域が指定されないＮＲＤ(Ｎｏｎ−ＲｅａｌｌｏｃａｔａｂｌｅＤｅｆｅｃｔ)タイプのＤＦＬエントリーを意味する。“Ｄｅｆｅｃｔｉｖｅ Ｃｌｕｓｔｅｒ ｆｉｒｓｔ ＰＳＮ”フィールドには欠陷が発生したクラスターの位置情報を記録する。なお、前記位置情報は、該当クラスターの一番目の物理的セクターナンバー(ＰＳＮ：ｐｈｙｓｉｃａｌｓｅｃｔｏｒ ｎｕｍｂｅｒ)として記録される。
【００２５】
また、“ｓｔａｔｕｓ２”フィールドには前記“ｓｔａｔｕｓ１”フィールドと共に各々のＤＦＬエントリーのタイプ及び属性に関する情報が記録される。例えば、前記“ｓｔａｔｕｓ２”フィールドが‘００００’である場合は、一つのクラスターに欠陷が発生した場合を示す。また、前記“ｓｔａｔｕｓ２”フィールドが‘０００１’である場合は、連続的な多数個の欠陷クラスターのスタート(ｓｔａｒｔ)を、‘００１０’である場合は、連続的な多数個の欠陷クラスターのエンド(ｅｎｄ)を示す。また、“Ｒｅｐｌａｃｅｍｅｎｔ Ｃｌｕｓｔｅｒｆｉｒｓｔ ＰＳＮ”フィールド内には欠陷領域のデータが代替記録された予備領域の位置情報を記録する。なお、前記位置情報は該当クラスターの一番目の物理的セクターナンバー(ＰＳＮ)として記録される。
【００２６】
また、他のエントリーを使用して“ｓｔａｔｕｓ１”と“ｓｔａｔｕｓ２”フィールドには各々のＤＦＬエントリーのタイプに関する情報を表現することができる。特に、二番目のエントリーの前記“ｓｔａｔｕｓ２”フィールドには連続的な多数個の欠陷クラスター及び代替クラスターのエンドであることを知らせる‘００１０’が記録される。“ＤｅｆｅｃｔｉｖｅＣｌｕｓｔｅｒ ｆｉｒｓｔ ＰＳＮ”フィールドには欠陷が発生したクラスターの位置情報の中で最後のクラスターの一番目の物理的セクターナンバー(ＰＳＮ)が記録される。また、“Ｒｅｐｌａｃｅｍｅｎｔ Ｃｌｕｓｔｅｒ ｆｉｒｓｔ ＰＳＮ”フィールドには予備領域の位置情報の中で最後のクラスターの一番目の物理的セクターナンバー(ＰＳＮ)が記録される。なお、一つのエントリーは８バイト(６４ビット)で構成される。すなわち、前記“ｓｔａｔｕｓ”フィールドのために各々４ビットが割り当てられ、“ＤｅｆｅｃｔｉｖｅＣｌｕｓｔｅｒ ｆｉｒｓｔ ＰＳＮ”、“Ｒｅｐｌａｃｅｍｅｎｔ Ｃｌｕｓｔｅｒ ｆｉｒｓｔ ＰＳＮ”フィールドのために各々２８ビットが割り当てられる。
【００２７】
以下、本発明による上述の構造を有するエントリーフォーマットを利用してデータを重ね書きする方法を示した図４の例について詳しく説明する。一番目のエントリー(ＤＦＬ ｅｎｔｒｙ１)の“ｓｔａｔｕｓ１”フィールドには代替記録されたことをを意味する‘００００’が記録される。“Ｄｅｆｅｃｔｉｖｅ Ｃｌｕｓｔｅｒｆｉｒｓｔ ＰＳＮ”フィールドには欠陷クラスターの一番目の物理的セクターナンバーである‘ａ’が記録される。また、一番目のエントリー(ＤＦＬ ｅｎｔｒｙ１)の“ｓｔａｔｕｓ２”フィールドには連続的な欠陷クラスターのスタートを意味する‘０００１’が記録される。“ＲｅｐｌａｃｅｍｅｎｔＣｌｕｓｔｅｒ ｆｉｒｓｔ ＰＳＮ”フィールドには予備領域内に代替記録された位置の一番目の物理的セクターナンバーである‘ｃ’が記録される。また、二番目のエントリー(ＤＦＬｅｎｔｒｙ２)の“ｓｔａｔｕｓ１”フィールドには代替記録されたことを意味する‘００００’が記録され、“Ｄｅｆｅｃｔｉｖｅ Ｃｌｕｓｔｅｒ ｆｉｒｓｔ ＰＳＮ”フィールドには欠陷クラスターの最後のクラスターの一番目の物理的セクターナンバーである‘ｂ’が記録される。また、二番目のエントリー(ＤＦＬｅｎｔｒｙ２)の“ｓｔａｔｕｓ２”フィールドには連続的な欠陷クラスターのエンドを意味する‘００１０’が記録され、“Ｒｅｐｌａｃｅｍｅｎｔ Ｃｌｕｓｔｅｒ ｆｉｒｓｔＰＳＮ”フィールドには予備領域内に代替記録された位置の最後のクラスターの一番目の物理的セクターナンバーである‘ｄ’が記録される。
【００２８】
したがって、ユーザーの要求によってホストがａ−ｂ領域の再生を要求する場合、前記ドライブはＴＤＭＡ領域に記録された前記情報を参照してｃ−ｄ領域の再生を実行するようになる。一方、このように二つのＤＦＬエントリー(ＤＦＬ ｅｎｔｒｙ １、ＤＦＬ ｅｎｔｒｙ２)を使用して重ね書きに関する管理情報を表現する方法において、前記二つのエントリーをＣＲＤエントリーと名付ける。
【００２９】
図５Ａ及び図５Ｂは、本発明の一実施形態による重ね書き方法を示した図である。すなわち、図５Ａ及び図５Ｂは、ユーザーまたはホストの重ね書き命令による具体的な重ね書き方法を示す。まず、図５Ａのように、ユーザーまたはホストの要請によって１回記録可能な光ディスクの以前に記録された領域(ｐｒｅｖｉｏｕｓ ｒｅｃｏｒｄｅｄ ａｒｅａ)に重ね書き命令がドライブに伝達されると、前記ドライブは前記以前に記録された領域に記録するデータを予備領域に代替記録する.この時、前記重ね書き命令は光ディスク上の記録する位置(例えば、ｘ１、ｘ２、ｘ３、…)及びデータのサイズ(例えば、ｍ１、ｍ２、ｍ３、…)情報を含んで伝達される。図５Ａに示したように、前記記録命令は連続して伝達することができる。
【００３０】
前記連続して伝達される記録命令の中でＷ１命令の場合は、ディスク上のｘ１位置にｍ１クラスターほどを記録するようにする命令である。しかし、前記ｘ１位置は既に記録された領域なので、光ディスクドライブはこれを予備領域(ｓｐａｒｅ ａｒｅａ)であるＹ１位置にｍ１クラスターほど代替記録するようになる。前記Ｗ１命令に対して、上述の図４のように、ドライブは前記重ね書き命令に対する代替記録の管理情報としてＣＲＤエントリー１をＴＤＭＡ領域に含まれたＴＤＦＬの欠陷リスト(Ｌｉｓｔｏｆ Ｄｅｆｅｃｔｓ)に記録する。なお、前記ＣＲＤエントリー１は二つのＤＦＬエントリーを使用して表現され、一番目のＤＦＬエントリー１の“ｓｔａｔｕｓ１”フィールドには‘００００’を、“ＤｅｆｅｃｔＣｌｕｓｔｅｒ ｆｉｒｓｔ ＰＳＮ”フィールドには‘Ｘ１’を、“Ｒｅｐｌａｃｅｍｅｎｔ Ｃｌｕｓｔｅｒ ｆｉｒｓｔ ＰＳＮ”フィールドには‘Ｙ１’を記録する。また、二番目のＤＦＬエントリー２の“ｓｔａｔｕｓ１”フィールドには‘００００’を、“ＤｅｆｅｃｔＣｌｕｓｔｅｒ ｆｉｒｓｔ ＰＳＮ”フィールドには‘Ｘ２−３２’を記録する。前記のように‘Ｘ２−３２’を記録する理由は、前記位置情報は最後の欠陷クラスターの一番目の物理的セクターナンバーを記録するからである。すなわち、一つのクラスターは３２個のセクターで構成されているので、隣接するクラスターの先頭ＰＳＮは３２セクターのアドレス差が発生するようになる。もし、一つのクラスターが１６セクターで構成されていると、１６セクターほどのアドレス差が発生する。また、二番目のＤＦＬエントリー２の“ｓｔａｔｕｓ２”フィールドには‘００１０’を、“ＲｅｐｌａｃｅｍｅｎｔＣｌｕｓｔｅｒ ｆｉｒｓｔ ＰＳＮ”フィールドには‘Ｙ２−３２’を記録する。
【００３１】
同様に、Ｗ２及びＷ３の記録命令に対してもＣＲＤエントリー２とＣＲＤエントリー３を生成して、ドライブはＴＤＭＡ領域のＴＤＦＬの欠陷リスト(Ｌｉｓｔ ｏｆ Ｄｅｆｅｃｔｓ)に記録(またはアップデート)することにより、代替記録された領域に関する管理情報を光ディスクが有するようにする。しかし、このような方法は、重ね書き命令によって記録されるデータがお互いに連続するので、図５Ａの方法は非效率的である可能性がある。すなわち、１回記録可能な光ディスクでＴＤＭＡ領域の浪費を招くことができる。したがって、本発明によれば、前記のように重ね書き命令によって記録されるデータが連続する場合、一つのＣＲＤエントリーで圧縮して光ディスク上に記録する方法を使用するようになり、これを図５Ｂを参照して詳しく説明すれば、次のようである。
【００３２】
図５Ｂに示したテーブルは、本発明の図５Ａの実施形態によって生成されたＣＲＤエントリーテーブルを示す。図５Ｂを参照すれば、記録命令Ｗ１、Ｗ２、Ｗ３によって生成されたＣＲＤエントリーはお互いに連続するクラスターに関する情報を含んでいる。言い換えれば、ＣＲＤエントリー１により表現されるクラスターはＣＲＤエントリー２により表現されるクラスターと隣接し、ＣＲＤエントリー２により表現されるクラスターはＣＲＤエントリー３により表現されるクラスターと隣接する。
【００３３】
本発明によれば、もし重ね書き命令によって代替記録されるデータが連続したら、初めと最後のクラスターの位置情報を一つのＣＲＤエントリーを使用して表現するようになる。このために、光ディスクドライブは連続する記録命令に対して、これを内部メモリーにバッファリング(ｂｕｆｆｅｒｉｎｇ)し、一挙に管理情報を記録するようになる。すなわち、重ね書き命令によって代替記録を実行し、生成されるＣＲＤエントリーは光ディスクではないドライブ内部のメモリーに保存する。以後、前記ＣＲＤエントリーをサーチして連続するクラスターに関する情報を含むエントリーを一つのエントリーで減らして前記光ディスクに記録することにより、ＴＤＭＡ領域を効率的に使用することができるようになる。
【００３４】
図５Ｂを参照すれば、重ね書き命令(Ｗ１、Ｗ２、Ｗ３)により代替記録が実行され、生成された管理情報であるＣＲＤエントリー１、ＣＲＤエントリー２、ＣＲＤエントリー３はお互いに連続するので、最終的に光ディスクのＴＤＭＡ領域に記録されるＣＲＤエントリーは二つのＤＦＬエントリーを使用して重ね書き領域の連続する一番目のクラスターと最後のクラスター、代替記録される領域の連続する一番目のクラスターと最後のクラスターの位置情報を表現する。したがって、最終生成されたＣＲＤエントリーの中で一番目のＤＦＬエントリーの“ｓｔａｔｕｓ１”フィールドには‘００００’を、“ＤｅｆｅｃｔｉｖｅＣｌｕｓｔｅｒ ｆｉｒｓｔ ＰＳＮ”フィールドには‘Ｘ１’を、“ｓｔａｔｕｓ２”フィールドには‘０００１’を、“Ｒｅｐｌａｃｅｍｅｎｔ Ｃｌｕｓｔｅｒ ｆｉｒｓｔＰＳＮ”フィールドには‘Ｙ１’を記録する。また、二番目のＤＦＬエントリーの“ｓｔａｔｕｓ１”フィールドには‘００００’を、“Ｄｅｆｅｃｔｉｖｅ Ｃｌｕｓｔｅｒｆｉｒｓｔ ＰＳＮ”フィールドには‘Ｘ４−３２’を、“ｓｔａｔｕｓ２”フィールドには‘００１０’を、“Ｒｅｐｌａｃｅｍｅｎｔ Ｃｌｕｓｔｅｒ ｆｉｒｓｔ ＰＳＮ”フィールドには‘Ｙ４−３２’が記録される。
【００３５】
また、データが連続する場合には、重ね書き命令によって生成された管理情報だけではなく実際データまで内部メモリーにバッファリング(ｂｕｆｆｅｒｉｎｇ)し、管理情報とデータを一挙に記録できることも自明である。したがって、前記光ディスクドライブの内部メモリーの容量によって多様な実施形態の具現が可能である。
【００３６】
図６は、本発明による多様な重ね書き形態による管理情報、例えば、ＣＲＤエントリーを記録する方法を示した図である。図６の(ａ)が示す光ディスクは、１回記録可能な光ディスクにおいて既に記録された領域を示す。図６の(ａ)を参照すれば、前記光ディスクの既に記録された領域内に欠陷領域が含まれることができ、前記欠陷領域に関する管理情報は前記光ディスク内のＴＤＭＡ領域に一つのエントリーで記録され、これを上述のようにＲＡＤ(Ｒｅ−ａｌｌｏｃａｔｅｄＤｅｆｅｃｔ)タイプと言う。すなわち、前記ＲＡＤタイプエントリーは一つのクラスターを基準として生成された欠陷領域に関するものである。したがって、欠陥領域を含む既に記録された領域にユーザーやホストの要求によって重ね書きする場合、前記欠陥領域の管理情報及び代替記録可否に関係なく光ディスク上の予備領域に代替記録される。
【００３７】
したがって、光ディスクのＴＤＭＡ領域に記録された最初７個の欠陥領域に関する情報(例えば、ＲＡＤタイプエントリー)を表現する７個の欠陥エントリーは、重ね書き領域であるａ−ｂ領域に関する管理情報を含んで６個の欠陥エントリーに記録される。すなわち、前記重ね書き領域であるａ−ｂ領域内に存在した欠陷領域(Ｄ)各々に関する３個のエントリーは前記ａ−ｂ領域内に含まれるので、前記ａ−ｂ領域を管理するためのＣＲＤタイプエントリーを記録する時に除外して記録される。特に、これは２個が一対で構成されるＣＲＤタイプエントリーが連続的に記録されることを保障するためである。言い換えれば、エントリーをＴＤＭＡ内に記録する時に特定基準(例えば、エントリー内の“ｓｔａｔｕｓ１”及び“Ｄｅｆｅｃｔｉｖｅｃｌｕｓｔｅｒ ｆｉｒｓｔ ＰＳＮ ｆｉｅｌｄ”順)によって整列(ｓｏｒｔｉｎｇ)して記録するようになるので、前記のように欠陷領域(Ｄ)各々に関する３個のエントリーを除外しないと、ＣＲＤタイプエントリーが連続的に記録できなくなる。
【００３８】
図６の(ｂ)は、図６の(ａ)のような方法を通じて重ね書きされた領域(ａ−ｂ領域)内の一部を再度重ね書き(ｃ−ｄ領域)する場合を示す。図６の(ｂ)を参照すれば、ユーザーやホストの要求によって重ね書き領域(ａ−ｂ領域)を含む領域に再度重ね書きしようとする場合、図６の(ａ)場合と同様にｃ−ｄ領域に記録される情報は光ディスク上の代替領域に記録される。図６の(ｃ)は、最終的な光ディスクの記録形態を示す。図６の(ｃ)の記録形態を管理するための欠陷エントリーは、４個のＲＡＤタイプエントリーと、ａ−ｃ領域のためのＣＲＤタイプエントリー及びｃ−ｄ領域のためのＣＲＤタイプエントリーで構成される。なお、前記各々のＣＲＤタイプエントリーは２個が一対のエントリーで構成されるので、結局、全体８個の欠陥エントリーが記録される。
【００３９】
図７は、本発明による重ね書き管理情報が記録されるフォーマットを示した図である。図７は、一つのＴＤＭＡ領域内に含まれるＴＤＦＬフォーマット及び前記ＴＤＦＬ内の欠陥リストフォーマットを示す。図７に示したように、一つのＴＤＭＡ領域内に含まれるＴＤＦＬは、欠陥リストヘッダー(ｄｅｆｅｃｔ ｌｉｓｔ ｈｅａｄｅｒ)と、複数個の欠陥エントリーを含む欠陥リストと、欠陥リスト終結を意味する欠陥リスト終結子(ｄｅｆｅｃｔｌｉｓｔ ｔｅｒｍｉｎａｔｏｒ)と、を含む。前記欠陥リストヘッダー(ｄｅｆｅｃｔ ｌｉｓｔ ｈｅａｄｅｒ)は欠陥リスト及び前記欠陥リストの構成に関する情報を含む。前記欠陥リストはディスクの使用中に欠陷であると決定されたクラスターの欠陥エントリーを含む。前記欠陥リスト終結子(ｄｅｆｅｃｔｌｉｓｔ ｔｅｒｍｉｎａｔｏｒ)は欠陥リストを終結する。また、前記欠陥リストヘッダー部分は“ＤＦＬ ｉｄｅｎｔｉｆｉｅｒ”フィールド、“Ｎｕｍｂｅｒ ｏｆ ＤＦＬｅｎｔｒｉｅｓ(Ｎ＿ＤＦＬ)”フィールド、“Ｎｕｍｂｅｒ ｏｆ ＮＲＤ／ＣＮＤ ｅｎｔｒｉｅｓ”フィールド及び“Ｎｕｍｂｅｒ ｏｆ ＮＲＤ／ＣＮＤ ｅｎｔｒｉｅｓ”フィールドを含む。前記“ＤＦＬｉｄｅｎｔｉｆｉｅｒ”フィールドは欠陥リストであることを知らせるＩＤ情報(ｉｄｅｎｔｉｆｉｅｒ)を示す。前記“Ｎｕｍｂｅｒ ｏｆ ＤＦＬ ｅｎｔｒｉｅｓ(Ｎ＿ＤＦＬ)”フィールドは欠陥リストエントリーの全体個数を示す。前記“Ｎｕｍｂｅｒｏｆ ＲＡＤ／ＣＲＤ ｅｎｔｒｉｅｓ”フィールドはＲＡＤ及びＣＲＤタイプのエントリーの数を示す。前記“Ｎｕｍｂｅｒ ｏｆ ＮＲＤ／ＣＮＤ ｅｎｔｒｉｅｓ”フィールドはＮＲＤ及びＣＮＤタイプのエントリーの数を示す。
【００４０】
すなわち、ＤＦＬエントリーの全体個数は前記“Ｎｕｍｂｅｒ ｏｆ ＤＦＬ ｅｎｔｒｉｅｓ(Ｎ＿ＤＦＬ)”フィールドに記録される。また、ＲＡＤタイプエントリーとＣＲＤタイプエントリーの個数を合わせた個数は“Ｎｕｍｂｅｒｏｆ ＲＡＤ／ＣＲＤ ｅｎｔｒｉｅｓ”に記録される。また、ＮＲＤタイプエントリーとＣＮＤタイプエントリーの個数を合わせた個数は“Ｎｕｍｂｅｒ ｏｆ ＮＲＤ／ＣＮＤｅｎｔｒｉｅｓ”に記録される。なお、重ね書きがＣＲＤタイプに処理されることは上述したようである。また、欠陥リストは実際欠陥クラスターに関する情報が含まれた多数個のＤＦＬエントリーで構成されるので、全体ＴＤＦＬのサイズは前記欠陷リストに含まれる情報によって可変的に拡張可能である。特に、前記ＴＤＦＬの全体サイズはシングルレイヤー(ｓｉｎｇｌｅｌａｙｅｒ)ディスクの場合には４個クラスター、ダブルレイヤー(ｄｏｕｂｌｅ ｌａｙｅｒ)ディスクの場合には８個クラスターを超えない。
【００４１】
図８は、光記録再生装置の構成を示した図である。図８を参照すれば、前記光記録再生装置は、記録再生部(ｒｅｃｏｒｄｉｎｇ／ｒｅｐｒｏｄｕｃｉｎｇｄｅｖｉｃｅ)１０と、これを制御する制御部(ホストまたはコントローラー)２０と、を含む。前記記録再生部１０は光ディスクにデータを記録または再生する。前記制御部２０は、前記記録再生部１０を制御し、特定領域への記録または再生命令を前記記録再生部１０に伝達する。前記記録再生部１０は制御部２０の命令によって特定領域への記録または再生を実行する。
【００４２】
また、前記記録再生部１０は、インターフェース部１２と、ピックアップ部１１と、データプロセッサ１３と、サーボ部１４と、メモリー１５と、マイコン１６と、を含む。前記インターフェース部１２は制御部２０とデータ及び命令を送受信するなどの通信を実行する。前記ピックアップ部１１は光ディスク上にデータを記録するか、光ディスクからデータを読み出す。前記データプロセッサ１３は前記ピックアップ部１１から読み出された信号を受信して希望する信号値に復元するか、記録される信号を光ディスクに記録される信号に変調して伝達する。前記サーボ部１４は光ディスクから正確に信号を読み出すか、光ディスクに信号を正確に記録するために前記ピックアップ部１１を制御する。前記メモリー１５は管理情報を含んだ各種情報及びデータを一時保存する。前記マイコン１６は前記記録再生部１０内の構成要素を制御する。
【００４３】
前記のように構成された光記録再生装置において、１回記録可能な光ディスクの記録過程について詳しく説明すれば、次のようである。まず、１回記録可能な光ディスクが光記録再生装置に挿入されると、前記光ディスク内のすべての管理情報は読み出されて前記記録再生部１０内のメモリー１５に保存される。前記管理情報は光ディスクにデータを記録するかまたは再生時に活用される。このような状態で、ユーザーが前記光ディスクの特定領域に記録を希望する場合、制御部２０はこれを記録命令として記録を希望する位置情報を記録するデータと共に記録再生部１０に伝達する。この時、前記記録再生部１０内のマイコン１６は、前記記録命令を受信した後、メモリー１５に保存された管理情報から制御部２０が記録を希望する光ディスク内の領域が欠陥領域であるかまたは/及び既に記録完了された領域であるかを判断する。欠陥領域あるいは既に記録完了された領域ではない領域に前記制御部２０の記録命令のどおりに記録を実行する。
【００４４】
前記のように記録を実行する中、ユーザーの要求によって重ね書きを実行する場合、前記重畳される領域に記録するデータはデータゾーン内の他の領域、例えば、予備領域に代替記録を実行する。また、生成されたＣＲＤエントリーを含んだ関連情報は前記記録再生部１０内のメモリー１５に一時保存される。以後、前記保存されたＣＲＤエントリーをサーチして連続するクラスターに関する情報を含むエントリーは一つのＣＲＤエントリーで生成する。前記情報は光ディスクのＴＤＭＡ領域内のＴＤＦＬのＤＦＬエントリーに記録するようになる。この時、マイコン１６は前記代替記録される領域の位置情報とデータをサーボ１４とデータプロセッサ１３に伝達し、ピックアップ部１１を通じてディスク内の希望する位置で記録または代替記録が完了されるようにする。
【００４５】
本発明による１回記録可能な光ディスクの再生過程を説明すれば、次のようである。まず、１回記録可能な光ディスクが記録再生装置に挿入されると、前記ディスク内のすべての管理情報は読み出されて記録再生部１０内のメモリー１５に保存され、これら管理情報は光ディスクの記録再生時に活用される。このような状態で、ユーザーが前記光ディスクの特定領域への再生を希望する場合、制御部２０はこれを再生命令として再生を希望する位置情報を前記記録再生部１０に伝達する。
【００４６】
前記記録再生部１０内のマイコン１６は、前記再生命令を受信した後、メモリー１５に保存された管理情報から制御部２０が再生を希望する光ディスク内の領域がデータゾーン内の他の領域に代替記録されたか否か及び代替記録されない場合の欠陥領域の位置を判断する。これは上述したＴＤＭＡ領域内のＴＤＦＬのＤＦＬエントリーなどで確認可能である。したがって、前記マイコン１６は制御部２０が再生を希望する領域が代替記録されなかったら、該当領域を再生して再生された情報を制御部２０に伝送する。また、前記マイコン１６は制御部２０が再生を希望する領域が他の領域に代替記録(例えば、ＲＡＤ/ＣＲＤタイプ)された場合には該当代替記録された領域を再生して再生された情報を制御部２０に伝送する。
【００４７】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【産業上の利用可能性】
【００４８】
本発明は、１回記録可能な光ディスクの重ね書き方法及び装置を提供する。前記１回記録可能な光ディスクは、光ディスクの既に記録された領域上に連続的な重ね書きが実行される場合、上述したＤＦＬエントリーを管理する効率的な方法により管理される。
【図面の簡単な説明】
【００４９】
【図１】一般的な再記録可能な光ディスクの構造及び欠陷管理方法を概略的に示す図である。
【図２】本発明による１回記録可能な光ディスクにおける重ね書き方法を示す図である。
【図３】本発明による１回記録可能な光ディスクにおける欠陥領域を管理する方法を示す図である。
【図４】本発明による重ね書き管理情報を記録する方法を示す図である。
【図５Ａ】本発明の一実施形態による重ね書き方法を示す図である。
【図５Ｂ】本発明の一実施形態による重ね書き方法を示す図である。
【図６】本発明による多様な重ね書き形態を示す図である。
【図７】本発明による重ね書き管理情報が記録されるフォーマットを示す図である。
【図８】本発明による光記録再生装置の構成を示す図である。
【符号の説明】
【００５０】
１０  記録再生部
１１  ピックアップ部
１２  インターフェース部
１３  データプロセッサ
１４  サーボ
１５  メモリー
１６  マイコン
２０  制御部
【図１】
2007524184.tif 000003
【図２】
2007524184.tif 000004
【図３】
2007524184.tif 000005
【図４】
2007524184.tif 000006
【図５Ａ】
2007524184.tif 000007
【図５Ｂ】
2007524184.tif 000008
【図６】
2007524184.tif 000009
【図７】
2007524184.tif 000010
【図８】
2007524184.tif 000011
【国際調査報告】
2007524184.tif 000012
2007524184.tif 000013